(57)【特許請求の範囲】
【請求項１】
内容物を収容する容器本体と、前記容器本体にヒンジを介して連結された開閉自在な蓋体と、前記容器本体に出没自在に収容されたストラップ体と、を備え、
前記ストラップ体の両端部のうち少なくとも一方が、前記容器本体から露出すると共に前記容器本体に沿ってスライド自在な操作片に連結されており、前記操作片のスライドに伴って前記ストラップ体のうち両端部を除く少なくとも一部が前記容器本体に対して出没し、
前記容器本体には、収容時の前記ストラップ体のうち当該容器本体から露出する部分を収容する収容溝部が形成されていることを特徴とするコンパクト容器。
【請求項２】
前記ストラップ体の一端部が前記操作片に連結され、他端部が前記容器本体に対して固定されていることを特徴とする請求項１に記載のコンパクト容器。
【発明の詳細な説明】
【技術分野】
【０００１】
本発明は、コンパクト容器に関する。
【背景技術】
【０００２】
従来から、コンパクト容器として、化粧料を収容する容器本体と、容器本体にヒンジを介して連結された開閉自在な蓋体と、を備え、容器本体の側面にストラップ体を設けたものが提案されている（例えば、特許文献１参照）。このようなコンパクト容器では、ストラップ体を設けることで、コンパクト容器の落下を防止している。
【先行技術文献】
【特許文献】
【０００３】
【特許文献１】特開２００１−１９７９２９号公報
【発明の概要】
【発明が解決しようとする課題】
【０００４】
しかしながら、このようなコンパクト容器では、ストラップ体を容易に容器本体に出没させることに改善の余地がある。
【０００５】
本発明は、前述の課題に鑑みてなされたもので、ストラップ体の操作性を向上させたコンパクト容器を提供することを目的とする。
【課題を解決するための手段】
【０００６】
本発明は、上記のような課題を解決するために以下のような手段を採用した。すなわち、本発明のコンパクト容器は、内容物を収容する容器本体と、前記容器本体にヒンジを介して連結された開閉自在な蓋体と、前記容器本体に出没自在に収容されたストラップ体と、を備え、前記ストラップ体の両端部のうち少なくとも一方が、前記容器本体から露出すると共に前記容器本体に沿ってスライド自在な操作片に連結されており、前記操作片のスライドに伴って前記ストラップ体のうち両端部を除く少なくとも一部が前記容器本体に対して出没し、前記容器本体には、収容時の前記ストラップ体のうち当該容器本体から露出する部分を収容する収容溝部が形成されていることを特徴とする。
【０００７】
この発明では、ストラップ体の不使用時に、ストラップ体が容器本体内に収容されており、ストラップ体を使用する際に、操作片を容器本体に沿ってスライドさせると、操作片に連結されているストラップ体の両端部のうち少なくとも一方が容器本体の外部に向けて移動され、この移動に伴ってストラップ体が容器本体の外部に繰り出される。これにより、ストラップ体と容器本体の側面との間に指などを掛ける空間が画定される。そして、操作片を逆方向にスライドさせると、上述とは逆に、ストラップ体のうち繰り出された部分が容器本体内に収容される。このように、操作片を容器本体に沿ってスライドさせることでストラップ体を出没できるので、ストラップ体の操作性を向上させつつ不使用時におけるコンパクト容器の取扱性を改善することができる。
【０００８】
また、本発明のコンパクト容器では、前記ストラップ体の一端部が前記操作片に連結され、他端部が前記容器本体に対して固定されてもよい。
この場合では、ストラップ体の一端部のみを容器本体に対してスライドさせるため、コンパクト容器の構成が簡略化される。
【０００９】
また、本発明のコンパクト容器では、前記操作片が、蓋体によって覆われてもよい。
この場合では、蓋体を閉じた状態で操作片がコンパクト容器の外部に露出しないので、操作片の誤動作を防止できる。また、操作片を設けたことによるコンパクト容器の外観の悪化を防止できる。
【発明の効果】
【００１０】
この発明にかかるコンパクト容器によれば、ストラップ体を使用しないときにストラップ体を容器本体内に収容でき、さらに、ストラップ体を使用するときに操作片をスライドさせるだけでストラップ体を容器本体の外部に繰り出すことができるので、ストラップ体の操作性を向上させつつ不使用時におけるコンパクト容器の取扱性を改善することができる。
【図面の簡単な説明】
【００１１】
【図１】本発明の第１実施形態における蓋体を開いたコンパクト容器を示す平面図である。
【図２】図１の蓋体を閉じた状態におけるＡ−Ａ矢視断面図である。
【図３】図１の蓋体を閉じた状態におけるＢ−Ｂ矢視断面図である。
【図４】図１の蓋体を開いた状態におけるＣ−Ｃ矢視断面図である。
【図５】本発明の第２実施形態におけるコンパクト容器を示す横方向断面図である。
【図６】図５のＤ−Ｄ矢視断面図である。
【発明を実施するための形態】
【００１２】
以下、本発明におけるコンパクト容器の第１実施形態を、図面に基づいて説明する。なお、以下の説明に用いる各図面では、各部材を認識可能な大きさとするために縮尺を適宜変更している。
【００１３】
本実施形態におけるコンパクト容器１は、図１から図４に示すように、例えば化粧料などの内容物を収容する携帯用の蓋付容器であり、平面視矩形状の扁平容器である。このコンパクト容器１は、内容物が充填された中皿Ｆ及び塗布具Ｐそれぞれを収容する容器本体２と、容器本体２にヒンジ３を介して開閉自在に連結された蓋体４と、容器本体２に出没自在に収容されたストラップ体５と、を備えている。そして、コンパクト容器１におけるヒンジ３の反対側の端部には、蓋体４を容器本体２に対して閉じた状態に保持する係合部６が設けられている。
【００１４】
なお、本実施形態では、蓋体４側を上側とし、容器本体２側を下側とする。また、上下方向に直交する方向において、ヒンジ３側を後側とし、係合部６側を前側とする。さらに、上下方向及び前後方向双方に直交する方向を横方向とする。
【００１５】
容器本体２は、図１及び図２に示すように、中皿Ｆを収容保持する第１凹部１１と塗布具Ｐを収容する第２凹部１２それぞれが内部に形成された収容部であり、平面視矩形状の箱体である外装体１３と、外装体１３の内側に嵌合されて第１及び第２凹部１１、１２それぞれを画定する内装体１４と、を備えている。
【００１６】
外装体１３は、図１から図４に示すように、横方向に長い平面視矩形状の底壁部２１と、底壁部２１の外周縁から上方に向けて立設された平面視矩形環状の周壁部２２と、を備えている。
底壁部２１の右側縁部のうち前後両縁部には、図１及び図４に示すように、ストラップ体５を保持する２対の固定壁部２３ａ、２３ｂが上方に向けて立設されている。この固定壁部２３ａ、２３ｂは、横方向に沿って延在しており、外装体１３の底壁部２１及び周壁部２２と内装体１４とによって画定される空間内に配設されている。
【００１７】
周壁部２２は、図１に示すように、後壁部２４、前壁部２５、右側壁部２６及び左側壁部２７を備えている。
後壁部２４の横方向中央部には、ヒンジ３を構成するヒンジ凹部２４Ａが設けられている。
前壁部２５における横方向中央部には、凹状の切欠部２５Ａが形成されており、この切欠部２５Ａ内には、係合部６が配置されている。また、前壁部２５における切欠部２５Ａよりも右側には、後述する操作片５１を容器本体２の外部に露出させるスライド溝部２８が形成されている。
【００１８】
このスライド溝部２８は、前壁部２５における切欠部２５Ａの右側から右端部に向けて横方向に延在しており、スライド溝部２８の上下方向中央部には、前壁部２５を貫通するスライドスリット部２８Ａが形成されている。スライドスリット部２８Ａは、スライド溝部２８と同様に、前壁部２５における切欠部２５Ａの右側において右端部に向けて横方向に延在しており、このスライドスリット部２８Ａを介して容器本体２の内部と外部とが連通する。
右側壁部２６の横方向の厚さは、左側壁部２７の横方向の厚さよりも厚くなっており、右側壁部２６には、ストラップ体５を収容する収容溝部２６Ａが前後方向のほぼ全長にわたって延在している。
【００１９】
内装体１４は、図１に示すように、第１及び第２凹部１１、１２それぞれを画定する第１及び第２枠部３１、３２と、第１及び第２枠部３１、３２それぞれの上端から外側に向けて張り出すフランジ部３３と、を備えている。
第１及び第２枠部３１、３２は、四隅が弧状に形成された平面視矩形環状をなしており、仕切壁部３４を介して横方向に一体に連結されている。また、第１及び第２枠部３１、３２は、中皿Ｆ及び塗布具Ｐそれぞれを収容する大きさに形成されている。
【００２０】
仕切壁部３４の前後方向の中央部には、図１及び図２に示すように、下方に向けて陥没する陥没部３４Ａが形成されており、仕切壁部３４の左側面のうちこの陥没部３４Ａの前後方向の両側には、左側に向けて突出すると共に中皿Ｆの係合溝部ＦＡと係合する第１係合突部３４Ｂが形成されている。
また、第１枠部３１の左側面には、仕切壁部３４と同様に、右側に向けて突出すると共に中皿Ｆの係合溝部ＦＡと係合する第２係合突部３１Ａが形成されている。
フランジ部３３は、図１に示すように、第１及び第２枠部３１、３２それぞれの上端同士を連結しており、その外周縁は、外装体１３における周壁部２２の上端縁に係止されている。また、フランジ部３３の前端部の横方向中央部において前壁部２５の切欠部２５Ａに対応する位置には、係合部６が配置される開口部３３Ａが形成されている。
【００２１】
蓋体４は、図１から図４に示すように、天壁部４１と、天壁部４１の外周縁から下方に向けて連設された外壁部４２と、を備えている。
天壁部４１は、容器本体２の底壁部２１と同様に横方向に長い平面視矩形状の板部材であり、蓋体４を閉じた状態において底壁部２１の上方に対向して配置されている。また、天壁部４１の下面には、鏡体４３が接合されている。
外壁部４２は、図１に示すように、容器本体２の周壁部２２と同様の平面視矩形環状をなしており、その後壁部には、ヒンジ３を構成するヒンジ軸壁４４が設けられている。
ヒンジ軸壁４４は、ヒンジ凹部２４Ａの横方向内側に配設されており、ヒンジ軸壁４４の横方向の外側端部とヒンジ凹部２４Ａとは、軸部４５を介して連結されている。これにより、容器本体２に対して蓋体４を回動自在に支持するヒンジ３が構成される。
【００２２】
ストラップ体５は、図１に示すように、断面円形状をなす弾性を有する紐状部材であり、平面視Ｃ字状をなしている。このストラップ体５は、例えば樹脂材料で形成されている。ストラップ体５の両端部には、外径が一対の固定壁部２３ａ、２３ｂそれぞれの間の間隙よりも大きい大径部５Ａ、５Ｂが形成されている。そして、ストラップ体５の一端部側の大径部５Ａは、一対の固定壁部２３ａに係止されることによって右側への移動が規制される。そして、大径部５Ａには、スライドスリット部２８Ａを介して容器本体２の外部に露出する操作片５１が被着されている。
一方、ストラップ体５の他端部側の大径部５Ｂは、一対の固定壁部２３ｂに係止されて容器本体２に対して固定されることによって右側への移動が規制される。
また、ストラップ体５のうち右側壁部２６に沿って延在する部分は、収容溝部２６Ａ内に収容されている。
【００２３】
操作片５１は、矩形箱状をなしてストラップ体５の大径部５Ａに被着される被着箱部５２と、スライド溝部２８に沿って横方向にスライドするスライド部５３と、スライドスリット部２８Ａを介して被着箱部５２とスライド部５３とを連結する連結部５４と、を有する。
なお、操作片５１は、図１に示すように、スライド溝部２８の左端部に位置しており、ストラップ体５の一端部は、外装体１３と内装体１４とによって画定される空間内に引き込まれている。そのため、ストラップ体５全体は、容器本体２内に収容されている。
【００２４】
係合部６は、図１及び図３に示すように、コンパクト容器１の前端部の横方向中央部において切欠部２５Ａの内側に配設されており、容器本体２側に設けられた第１フック６１と、蓋体４側に設けられると共に第１フック６１と係合する第２フック６２と、第１及び第２フック６１、６２間の係合を解除するプッシュピース６３と、を備えている。
【００２５】
第１フック６１は、底壁部２１から上方に向けて立設されたガイド壁部６４を備えている。ガイド壁部６４は、横方向で容器本体２の開口部３３Ａと切欠部２５Ａとに対応する位置において、容器本体２の前壁部２５よりも内側に配置され、その前端面が上方に向かうにしたがって後側に向けて傾斜する傾斜面６４Ａとなっている。そして、ガイド壁部６４の上部には、第１爪部６４Ｂが突設されている。さらに、ガイド壁部６４の下部には、前後方向に延在するガイド穴部６４Ｃが形成されている。
【００２６】
第２フック６２は、天壁部４１から下方に向けて垂下された縦壁部６５を備えている。縦壁部６５は、蓋体４を閉じた状態において、平面視で第１フック６１と重なる位置に配設されている。また、縦壁部６５の下部には、蓋体４を閉じた状態において、容器本体２の開口部３３Ａ内に挿通されて第１フック６１の第１爪部６４Ｂに係合する第２爪部６５Ａが形成されている。
【００２７】
プッシュピース６３は、切欠部２５Ａの内側において容器本体２に支持されている押圧壁部６６と、押圧壁部６６の中間部に形成された突起部６７と、押圧壁部６６の下部に形成されたベース部６８と、を備えている。
押圧壁部６６の前後方向の位置は、容器本体２の前壁部２５と同等の位置となっている。突起部６７は、第１フック６１の傾斜面６４Ａに当接し、ベース部６８は、第１フック６１のガイド穴部６４Ｃ内に挿通されている。
【００２８】
次に、以上のような構成のコンパクト容器１の使用方法について説明する。まず、コンパクト容器１を使用しない状態では、図１に示すように、操作片５１がスライド溝部２８の左端部に位置しており、ストラップ体５のうち右側壁部２６に沿って延在する部分が収容溝部２６Ａ内に収容されている。これにより、ストラップ体５全体は、容器本体２内に収容されている。
【００２９】
コンパクト容器１を使用する際には、まず、コンパクト容器１からストラップ体５を繰り出す。ここでは、操作片５１をスライド溝部２８内で右側に向けてスライドさせる。操作片５１が右側に向けて移動すると、操作片５１に接続されているストラップ体５の一端部も操作片５１と共に右側に向けて移動する。そして、ストラップ体５のうち外装体１３と内装体１４との間の空間に収容されている部分は、ストラップ体５の一端部が右側に向けてスライドするにしたがって、右側部分から順に容器本体２の外部に繰り出される。また、ストラップ体５のうち右側壁部２６の収容溝部２６Ａ内に収容されている部分は、ストラップ体５の一端部側が容器本体２の外部に繰り出されるにしたがって、例えば前側部分から順に容器本体２の外部に繰り出される。その後、操作片５１をスライド溝部２８の右端部までスライドさせると、ストラップ体５と右側壁部２６とによって例えば指を掛ける空間が画定される。
【００３０】
次に、係合部６の押圧壁部６６を後方に押し込んで、蓋体４を開く。押圧壁部６６を後方に押し込むと、プッシュピース６３の突起部６７がガイド壁部６４の傾斜面６４Ａ上を摺動することで、第２フック６２の第２爪部６５Ａが上方に押し上げられ、第１フック６１の第１爪部６４Ｂと第２フック６２の第２爪部６５Ａとの係合が解除される。そして、蓋体４を引き上げると、蓋体４がヒンジ３の軸部４５回りに回動し、容器本体２が開放される。
そして、容器本体２に収容された中皿Ｆの内容物及び塗布具Ｐを適宜使用した後、蓋体４を閉じる。
【００３１】
続いて、ストラップ体５を容器本体２内に収容する。ここでは、上述とは逆に、操作片５１をスライド溝部２８内で左側に向けてスライドさせ、操作片５１に接続されているストラップ体５の一端部を操作片５１と共に左側に向けて移動させる。ストラップ体５は、ストラップ体５の一端部が左側に向けてスライドするにしたがって、一端部側から順に外装体１３と内装体１４との間の空間内に引き込まれる。その後、操作片５１をスライド溝部２８の左端部までスライドさせると、ストラップ体５のうち右側壁部２６に沿って延在する部分は、右側壁部２６の収容溝部２６Ａ内に収容される。これにより、ストラップ体５全体は、容器本体２内に収容される。
【００３２】
このとき、ストラップ体５の他端部は、一対の固定壁部２３ｂに係止されているので、ストラップ体５を出没させるときに操作片５１を横方向にスライドさせても、容器本体２に対して移動しない。
なお、ストラップ体５を繰り出してから蓋体４を開いているが、蓋体４を開いてからストラップ体５を繰り出してもよく、ストラップ体５を収容してから蓋体４を閉じてもよい。
【００３３】
以上のような構成のコンパクト容器１によれば、ストラップ体５を使用しないときにストラップ体５を容器本体２内に収容でき、さらに、ストラップ体５を使用するときに操作片５１をスライドさせるだけでストラップ体５のうち大径部５Ａ、５Ｂを除く部分を容器本体２の外部に繰り出すことができるので、ストラップ体５の操作性を向上させつつ不使用時におけるストラップ体５の取扱性を改善できる。
また、ストラップ体５の大径部５Ｂを容器本体２内に固定しており、ストラップ体５の大径部５Ａのみをスライドさせる構成とすることで、ストラップ体５を容器本体２に対して出没させる構成を簡略化できる。
【００３４】
次に、本発明によるコンパクト容器の第２実施形態を、図面に基づいて説明する。なお、ここで説明する実施形態は、その基本的構成が上述した第１実施形態と同様であり、上述の第１の実施形態に別の要素を付加したものである。したがって、図５及び図６においては、図１から図４と同一の構成要素に同一符号を付し、その説明を省略する。
【００３５】
本実施形態におけるコンパクト容器１００では、図５及び図６に示すように、容器本体１０１内でストラップ体１０２の両端部がスライド自在となっている。
容器本体１０１の外装体１１０を構成する底壁部１１１、右側壁部１１２及び左側壁部１１３には、ストラップ体５を挿通させる挿通経路１１０Ａ、１１０Ｂが形成されている。
内装体１２０を構成するフランジ部１１５のうち係合部６の左右両側の部分それぞれには、後述する操作片１３７、１３８を容器本体１０１の外部に露出させるスライドスリット部１２１、１２２が形成されている。
なお、容器本体１０１の右側壁部１１２の横方向の厚さは、左側壁部１１３の厚さと同等となっている。また、前壁部（図示略）には、第１実施形態における前壁部２５のスライド溝部２８が形成されていない。
【００３６】
ストラップ体１０２は、断面円形状をなす弾性を有する紐状部材であり、正面視Ｃ字状をなしている。そして、ストラップ体１０２のうち底壁部１１１の下面に沿って延在する部分は、容器本体１０１の外部に露出している。
ストラップ体１０２には、６つの節部１３１〜１３６が設けられており、ストラップ体１０２は、これら節部１３１〜１３６において他の部分よりも屈曲変形が容易になっている。
【００３７】
節部１３１、１３６は、ストラップ体１０２を容器本体１０１から繰り出した状態においてストラップ体１０２が底壁部１１１の横方向両縁部それぞれに位置する部分に形成されており、節部１３２、１３５は、ストラップ体１０２を容器本体１０１内に収容した状態においてストラップ体１０２が底壁部１１１の横方向両縁部それぞれに位置する部分に形成されており、節部１３３、１３４は、ストラップ体１０２を容器本体１０１内に収容した状態においてストラップ体１０２が挿通経路１１０Ａ、１１０Ｂそれぞれから容器本体１０１の外部に露出する部分のうち底壁部１１１に近接する部分に形成されている。
【００３８】
そのため、ストラップ体１０２のうち節部１３３、１３４間の部分は、ストラップ体１０２が節部１３３、１３４において屈曲変形しやすくなっているので、底壁部１１１の下面に沿って延在し、底壁部１１１から下方に向けて撓むことが防止されている。
また、ストラップ体１０２の両端部には、外径がストラップ体１０２の両端部を除く他の部分よりも大きい大径部１０２Ａ、１０２Ｂが形成されている。これら大径部１０２Ａ、１０２Ｂそれぞれには、スライドスリット部１２１、１２２を介して容器本体１０１の外部に露出する操作片１３７、１３８が被着されている。
【００３９】
以上のような構成のコンパクト容器１００からストラップ体１０２を繰り出す場合には、上述した第１実施形態と同様に、操作片１３７をスライドスリット部１２１に沿って右側に向けてスライドさせると共に、操作片１３８をスライドスリット部１２２に沿って左側に向けてスライドさせる。ストラップ体１０２のうち外装体１１０と内装体１２０との間の空間に収容されている部分は、操作片１３７、１３８をスライドさせるにしたがって、容器本体１０１の外部に繰り出される。
【００４０】
ストラップ体１０２を容器本体１０１内に収容する場合には、上述とは逆に、操作片１３７、１３８それぞれを横方向中央部側に向けてスライドさせる。操作片１３７、１３８をスライドさせるにしたがって、ストラップ体１０２が外装体１１０と内装体１２０との間の空間内に引き込まれる。このとき、ストラップ体１０２が節部１３３、１３４において屈曲するため、ストラップ体１０２のうち節部１３３、１３４間の部分は、底壁部１１１の下面に沿って延在し、底壁部１１１から下方に向けて撓むこと防止されている。
【００４１】
以上のような構成のコンパクト容器１００においても、上述した第１実施形態と同様の作用、効果を奏するが、蓋体４を閉じた状態において操作片１３７、１３８がコンパクト容器１００の外部に露出していないため、例えばコンパクト容器１００を鞄の中などに入れた状態で、操作片１３７、１３８が誤動作することを防止できる。
【００４２】
なお、本発明は上記実施形態に限定されるものではなく、本発明の趣旨を逸脱しない範囲において種々の変更を加えることができる。
例えば、容器本体には、中皿を収容保持する第１凹部と塗布具を収容する第２凹部とが横方向に並設されているが、前後方向に並設させてもよく、第１凹部または第２凹部のみ設けてもよい。
ストラップ体は、第１実施形態において第２実施形態と同様に節部を有する構成であってもよく、同様に、第２実施形態において第１実施形態と同様に節部を有さない構成であってもよく、他の構成であってもよい。また、ストラップ体は、紐状に限らず、帯状など、他の形状をなしてもよい。さらに、節部は、節部においてストラップ体が屈曲しやすくなっていればよく、例えば他の部分よりも薄肉とすることによって屈曲変形が容易である構成など、他の構成であってもよい。
また、ストラップ体は、少なくとも一部が容器本体内に収容されればよく（ただし、収容されない部分は容器本体に近接あるいは当接させることが好ましい）、例えば第１実施形態において右側壁部に収容溝部を形成しなくてもよく、第２実施形態において底壁部に収容溝部を形成してもよい。
操作片は、第１実施形態において容器本体の前壁部から露出しているが、第２実施形態と同様に内装体のフランジ部から露出させてもよく、同様に、第２実施形態において容器本体の前壁部から露出させてもよく、他の構成であってもよい。
ストラップ体の両端部の少なくとも一方に操作片を被着しているが、ストラップ体と操作片とを一体成形してもよい。
ストラップ体及び操作片の配設位置は、上述した実施形態に限らず、他の部分であってもよく、ストラップ体を複数配設してもよい。
ストラップ体を容器本体に収容する収容位置と容器本体に対するストラップ体の繰出量が最大になる繰出位置とのそれぞれにおいて操作片を位置決めすることを容易にするため、例えば操作片と容器本体とに収容位置と繰出位置とのそれぞれにおいて係合する係脱可能な各種係止手段を設けてもよい。同様に、収容位置と繰出位置との間で操作片を位置決めしてストラップ体の繰出量の調整を容易にするため、例えば操作片や容器本体に上述した係止手段を複数設けてもよい。
コンパクト容器の形状は、平面視矩形状に限らず、平面視円形や三角形など、他の形状であってもよい。また、容器本体及び蓋体は、少なくとも一方がドーム状に膨出した形状など、他の形状であってもよい。
【産業上の利用可能性】
【００４３】
この発明によれば、ストラップ体の操作性を向上させたコンパクト容器に関して、産業上の利用可能性が認められる。
【符号の説明】
【００４４】
１，１００  コンパクト容器、２，１０１  容器本体、３  ヒンジ、４  蓋体、５，１０２  ストラップ体、５１，１３７，１３８  操作片
【図１】
0005783822.tif 000002
【図２】
0005783822.tif 000003
【図３】
0005783822.tif 000004
【図４】
0005783822.tif 000005
【図５】
0005783822.tif 000006
【図６】
0005783822.tif 000007